(57)【要約】【課題】不要で迷惑な電子メールに重要電子メールが埋もれ見落とされるのを防止する。【解決手段】メールサーバー100との間で電子メールの送受信を行う携帯電話機200の電子メール受信許可・拒否判断システムに、電子メールを保存するメール一時保存部101と、携帯電話機宛の電子メールが有る旨、電子メールに添付された送信先メール用パスワードを通知するメール情報通知部102と、携帯電話機のメール受信時照合用パスワードを保存するメール用パスワード保存部203Bと、通知された電子メールに対する送信先メール用パスワードと保存されているメール受信時照合用パスワードを照合し、一致する場合メール一時保存部から携帯電話機宛の電子メールを受信し、一致せず、又は、電子メールに送信先メール用パスワードが添付されていない場合携帯電話機宛の電子メールの受信を拒否するためのパスワード照合部202Aとを備える。【選択図】図１
2005316805.tif 000002
【特許請求の範囲】
【請求項１】
メールサーバーを介して電子メールの送受信を行う携帯電話機の電子メール受信許可・拒否判断システムにおいて、
各前記携帯電話機から送信され、かつ、本文、題名、送信先メール用パスワード、送信先メールアドレスの情報を含む電子メールを前記メールサーバーに一時的に保存するためのメール一時保存部と、
前記メール一時保存部に携帯電話機宛の電子メールが有る旨の情報、前記携帯電話機宛の電子メールに添付された送信先メール用パスワードの情報を、前記メールサーバーから各前記携帯電話機に、通知するメール情報通知部と、
各前記携帯電話機のメール受信時照合用パスワードを保存するメール用パスワード保存部と、
前記メール情報通知部から通知された電子メールに対する前記送信先メール用パスワードと前記メール用パスワード保存部に保存されている前記メール受信時照合用パスワードを照合し、照合の結果一致する場合には前記メール一時保存部に保存されている前記携帯電話機宛の電子メールを受信し、照合の結果一致せず、又は、電子メールに送信先メール用パスワードが添付されていない場合には前記メール一時保存部に保存されている前記携帯電話機宛の電子メールの受信を拒否する旨を前記メールサーバーに通知するパスワード照合部とを備えることを特徴とする電子メール受信許可・拒否判断システム。
【請求項２】
前記メールサーバーは、受信を拒否する旨の通知を受けた場合には、該当する前記携帯電話機宛の電子メールを前記メール一時保存部から消去させることを特徴とする、請求項１に記載の電子メール受信許可・拒否判断システム。
【請求項３】
前記メールサーバーは、前記メール一時保存部に保存されている前記携帯電話機宛の電子メールに対する送信先メール用パスワードの添付の有無を検出し、前記送信先メール用パスワードの添付が無い場合には前記メール一時保存部に保存されている前記携帯電話機宛の電子メールを消去し、前記送信先メール用パスワードの添付が有る場合には前記メール情報通知部を介して前記携帯電話機宛の電子メールの前記送信先メール用パスワードの情報を通知することを特徴とする、請求項１に記載の電子メール受信許可・拒否判断システム。
【請求項４】
前記パスワード照合部は、前記送信先メール用パスワードと前記メール受信時照合用パスワードの照合の結果一致せず前記メール一時保存部に保存されている前記携帯電話機宛の電子メールを消去させる場合には、前記メール情報通知部を介して、電子メールを送信した前記携帯電話機宛に電子メールの受信拒否を通知させることを特徴とする、請求項１に記載の電子メール受信許可・拒否判断システム。
【請求項５】
さらに、前記メールサーバーにパスワード不一致メール保存部を設け、前記パスワード不一致メール保存部は、前記メールサーバーが前記パスワード照合部から電子メールの受信を拒否する旨の通知を受けた場合には該当する前記携帯電話機宛の電子メールを一定期間保存し、前記携帯電話機では受信を拒否した電子メールの送信元メールアドレス、題名を含む情報を表示し、メロディの鳴動で表示の通知を行い、表示中の情報から必要な電子メールの選択が行われたら、前記メールサーバーに選択された電子メールを前記パスワード不一致メール保存部から送信するよう要求し、前記パスワード不一致メール保存部では、前記携帯電話機から一定期間送信要求のない電子メールを消去することを特徴とする、請求項１に記載の電子メール受信許可・拒否判断システム。
【請求項６】
前記メール用パスワード保存部は、前記携帯電話機のメール受信時照合用パスワードと共に、送信先の携帯電話機のメール受信時照合用パスワードを送信先メール用パスワードとして保存し、電子メールの送信時に前記メール用パスワード保存部から送信先メール用アドレスを読み出し、送信される電子メールに読み出した前記送信先メール用アドレスを添付することを特徴とする、請求項１に記載の電子メール受信許可・拒否判断システム。
【請求項７】
メールサーバーを介して電子メールの送受信を行う携帯電話機の電子メール受信許可・拒否判断方法において、
各前記携帯電話機から送信され、かつ、本文、題名、送信先メール用パスワード、送信先メールアドレスの情報を含む電子メールを前記メールサーバーに一時的に保存する工程と、
携帯電話機宛の電子メールが保存されている情報、前記携帯電話機宛の電子メールに対する送信先メール用パスワードの添付の有無情報を、前記メールサーバーから各前記携帯電話機に、通知する工程と、
各前記携帯電話機のメール受信時照合用パスワードを保存する工程と、
前記携帯電話機宛の電子メールに添付された前記送信先メール用パスワードと前記メール用パスワード保存部に保存されている前記メール受信時照合用パスワードを照合する工程と、
照合の結果一致する場合には保存されている前記携帯電話機宛の電子メールを受信する旨を前記メールサーバーに通知する工程と、
照合の結果一致せず、又は、電子メールに送信先メール用パスワードが添付されていない場合には保存されている前記携帯電話機宛の電子メールの受信を拒否する旨を前記メールサーバーに通知する工程とを備えることを特徴とする電子メール受信許可・拒否判断方法。
【請求項８】
メールサーバーを介して電子メールの送受信を行い、電子メール受信許可・拒否判断を行う携帯電話機において、
各前記携帯電話機のメール受信時照合用パスワード、送信先の前記携帯電話機の送信先メール用パスワードを保存するメール用パスワード保存部と、
前記メールサーバーから通知された電子メールに対する前記送信先メール用パスワードと前記メール用パスワード保存部に保存されている前記メール受信時照合用パスワードを照合し、照合の結果一致する場合には前記メールサーバーから前記携帯電話機宛の電子メールを受信し、照合の結果一致せず、又は、電子メールに送信先メール用パスワードが添付されていない場合には前記メールサーバーからの前記携帯電話機宛の電子メールの受信を拒否する旨を前記メールサーバーに通知するパスワード照合部とを備えることを特徴とする携帯電話機。
【請求項９】
携帯電話機の間で電子メールの送受信の介在を行い、電子メール受信許可・拒否判断を行うメールサーバーにおいて、
各前記携帯電話機から送信され、かつ、本文、題名、送信先メール用パスワード、送信先メールアドレスの情報を含む電子メールを一時的に保存し、送信先の前記携帯電話機の照合結果に基づいて電子メールを送信するためのメール一時保存部と、
前記メール一時保存部に携帯電話機宛の電子メールが有る旨の情報、前記携帯電話機宛の電子メールに添付される送信先メール用パスワードの情報を送信先の携帯電話機に通知し、送信先の携帯電話機に保存されているメール受信時照合用パスワードと通知した送信先メール用パスワードを照合させ、照合の結果一致する場合には前記メール一時保存部から電子メールを送信し、照合の結果一致せず、又は前記送信先メール用パスワードが添付されていない場合には電子メールの受信を拒否させるためのメール情報通知部とを備えることを特徴とするメールサーバー。
【発明の詳細な説明】
【技術分野】
【０００１】
本発明は電子メールの送受信を行う携帯電話機に関する。特に、本発明は、電子メールの受信の許可、拒否を判断し不要で迷惑な電子メールに重要な電子メールが埋もれて見落とされるのを防止する電子メール受信許可・拒否判断システム、方法、携帯電話機及びメールサーバーに関する。
【背景技術】
【０００２】
従来の携帯電話機による電子メール送受信サービスでは、メールサーバーを利用して、不特定多数の電子メールアドレスに向けて、大量の広告電子メール等の配信が行われていたため、実際の受信側のユーザーに対して多数の不要な電子メール、迷惑電子メール等の受信が行われていた。これにより、無駄なデータ受信費用がかかり、多数の不要で迷惑な電子メールに重要な電子メールが埋もれて見落とされてしまう問題があった。
【０００３】
このため、ユーザーによるメールアドレス変更、アドレス又はドメインの指定受信・拒否設定を行わなければならなかった。しかし、ユーザーの事情によりメールアドレス変更、アドレス、ドメイン指定受信等の設定が面倒であり、設定を行わない等のケースがある。
さらに、このような問題に関連して多数の不要で迷惑な電子メール、つまり、スパムメール、不要原稿の増加に対して受信、着信を拒否する従来技術を以下に例示するが、以下に指摘するような問題がある。
【０００４】
従来では、予め登録するパスワードと、受信電子メールのパスワードとを照合し、加入者が許容する電子メールか否かの判断を行い、照合結果がNGの場合、電子メールを破棄して迷惑電子メールを防止する電子メールシステムを提供するため、パスワード要求データPSは、加入者a，加入者b，加入者cがパソコンにより電子メールシステムへ出力され、電子メールシステムは、メール受付制御部，パスワード照合制御部，パスワード受付制御部，メール受信制御部を有しており、パスワード受付制御部は、加入者a〜c毎のパスワードを内部記憶部に書き込み、メール受付制御部は、インターネットから受信される電子メールを一時記憶し、パスワード照合制御部は、入力される電子メールのパスワードと、予め記憶されているパスワードの照合を行い、一致した場合、電子メールを蓄積し、一致しない場合、この電子メールを破棄するものがある（例えば、特許文献１参照）。
【０００５】
しかしながら、上記特許文献１では、加入者がパソコンから電子メールシステムにパスワードを出力し保存させなければならず加入者への負担がその分増大し、電子メールシステムではパスワードの保存、照合を行わなければならず電子メールシステムへの負担が増大するという問題がある。
さらに、破棄された電子メールにはパスワードのない重要な電子メールが含まれるおそれがあり、この場合、重要な電子メールがあったと気が付くまで重要なメールに対する処理が遅れるという問題がある。
【０００６】
さらに、従来では、携帯端末機が電子メールを受信する際に、メール本文を受信するか、削除するかを選択的に行える電子メール通信システムを提供するため、本電子メール通信システムは基地局と携帯端末機とからなり、基地局のメールサーバーは電子メールのヘッダ部のみを携帯端末機に送信し、これを受信した携帯端末機では、このヘッダ部から抽出される送信者メールアドレスと、携帯端末機にユーザにより予め登録されている受信対象メールアドレスとを比較し、これらが一致している場合には、メールサーバーにメール本文転送を要求し、一致していない場合には、メール本文の削除を要求するものがある（例えば、特許文献２参照）。
【０００７】
しかしながら、上記特許文献２の携帯端末機では、受信対象となるメールアドレスを予め登録しておかなければならず携帯端末機のユーザーの登録負担がその分増大するという問題がある。
さらに、削除された電子メールにはメールアドレスが予め登録されていない重要な電子メールが含まれるおそれがあり、この場合、重要な電子メールがあったと気が付くまで重要なメールに対する処理が遅れるという問題がある。
【０００８】
さらに、従来では、シークレット設定でメール表示規制する方法は、シークレット設定されていない送信者が送信した電子メールは、他人に見られてしまうので、携帯型移動通信端末は、メール表示モードの選択が行われた場合、ＭＣＰＵは、メール内容振り分け制御部を使用し、表示部にパスワード有り送信／受信メール保存部に格納されている各メールフォルダを呼び出し、表示部に一覧表示を行うと共に、パスワードの入力を要求し、ＭＣＰＵは、入力されたパスワードとメールアドレス・パスワード保存部に格納されている選択されたメールフォルダ内のメールアドレスとリンクしたパスワードの照合を行い、一致した場合のみ選択された一つのメールのメール内容を呼び出し、表示部に表示し、メールアドレス・パスワード保存部には、送信側でパスワードを設定したメールを受信したときに、そのパスワードが保存されているものがある（例えば、特許文献３参照）。
【０００９】
しかしながら、上記特許文献３では、重要な電子メールは、シークレット設定されて送信され、受信され、シークレット設定されていない場合にはパスワードの照合後に表示されるようにしているが、シークレット有無、パスワードの有無にかかわらず、電子メールを受信するので、前述のように、不要で迷惑な電子メールを受信するという問題を解決できない。
【００１０】
従来では、同じメールアカウントを有する者からメールを見られないようにできるメール送受信装置等を提供することを目的とするため、パスワード照合を行うパスワード照合処理手段と、アドレス帳データを管理するアドレスデータ管理手段と、メールデータ等を表示する表示部を有し、パスワード照合処理手段は、アドレスデータ格納部に格納され、表示が指示されたメール本文に対応するアドレスデータにパスワードが設定されている場合、パスワード照合を行うこととしたものがある（例えば、特許文献４参照）。
【００１１】
しかしながら、上記特許文献４では、重要な電子メールはパスワードが設定されて受信時にパスワード照合が行われ表示されるが、パスワードの有無にかかわらず電子メールを受信するので、前述のように、不要で迷惑な電子メールを受信するという問題を解決できない。
さらに、従来では、不要原稿の受信を拒否できる閉域受信機能の利用を温存しながら、必要原稿の受信を拒否したか否かの確認を可能にするため、閉域受信でパスワードが不一致の場合、あるいはパスワードが受信できなかった場合、受信許容手段によって受信長を制限して受信するか、受信拒否手段によって受信を拒否するかの選択ができ、受信長は受信許容手段に予め任意に設定し、受信可否の選択は受信可否選択手段によって行われ、受信許容手段に設定した受信長に達すると、受信打切り手段は受信を強制的に打切り、従って、受信許容手段を選択した場合、従来ではパスワード不一致のため受信を拒否されるはずの着信の内容が確認できるので、重要な着信を拒否したか否かのチェックができる（例えば、特許文献５参照）。
【００１２】
しかしながら、上記特許文献５では、パスワードが不一致の場合、あるいはパスワードが受信できなかった場合、受信長を制限して受信するか又は受信を拒否することができるが、受信を拒否した場合重要な着信を拒否するおそれがあり、受信長を制限して受信する場合電子メールに換言すれば、前述のように、多数の不要で迷惑な電子メールの全てを部分的に受信することになるので、重要な電子メールが埋もれてしまうことになるという問題を解決できない。
【００１３】
【特許文献１】特開２０００−２４４５５３号公報
【特許文献２】特開２００３−１２２６８６号公報
【特許文献３】特開２００３−１９６２１８号公報
【特許文献４】特開２００３−３４５７１９号公報
【特許文献５】特開平０４−２６２６６７号公報
【発明の開示】
【発明が解決しようとする課題】
【００１４】
したがって、本発明は上記問題点に鑑みて、多数の不要で迷惑な電子メールの受信に起因して、無駄なデータ受信費用を節約でき、重要な電子メールが埋もれ見落としされるのを防止でき、かつ、携帯電話機のユーザーの負担を増大させず、メールサーバーへの負担を増大させない電子メール受信許可・拒否判断システム、方法、携帯電話機及びメールサーバーを提供することを目的とする。
【課題を解決するための手段】
【００１５】
本発明は前記問題点を解決するために、メールサーバーを介して電子メールの送受信を行う携帯電話機の電子メール受信許可・拒否判断システムにおいて、各前記携帯電話機から送信され、かつ、本文、題名、送信先メール用パスワード、送信先メールアドレスの情報を含む電子メールを前記メールサーバーに一時的に保存するためのメール一時保存部と、前記メール一時保存部に携帯電話機宛の電子メールが有る旨の情報、前記携帯電話機宛の電子メールに添付された送信先メール用パスワードの情報を、前記メールサーバーから各前記携帯電話機に、通知するメール情報通知部と、各前記携帯電話機のメール受信時照合用パスワードを保存するメール用パスワード保存部と、前記メール情報通知部から通知された電子メールに対する前記送信先メール用パスワードと前記メール用パスワード保存部に保存されている前記メール受信時照合用パスワードを照合し、照合の結果一致する場合には前記メール一時保存部に保存されている前記携帯電話機宛の電子メールを受信し、照合の結果一致せず、又は、電子メールに送信先メール用パスワードが添付されていない場合には前記メール一時保存部に保存されている前記携帯電話機宛の電子メールの受信を拒否する旨を前記メールサーバーに通知するパスワード照合部とを備えることを特徴とする電子メール受信許可・拒否判断システムを提供する。
【００１６】
さらに、前記メールサーバーは、受信を拒否する旨の通知を受けた場合には、該当する前記携帯電話機宛の電子メールを前記メール一時保存部から消去させる。
さらに、前記メールサーバーは、前記メール一時保存部に保存されている前記携帯電話機宛の電子メールに対する送信先メール用パスワードの添付の有無を検出し、前記送信先メール用パスワードの添付が無い場合には前記メール一時保存部に保存されている前記携帯電話機宛の電子メールを消去し、前記送信先メール用パスワードの添付が有る場合には前記メール情報通知部を介して前記携帯電話機宛の電子メールの前記送信先メール用パスワードの情報を通知する。
【００１７】
さらに、前記パスワード照合部は、前記送信先メール用パスワードと前記メール受信時照合用パスワードの照合の結果一致せず前記メール一時保存部に保存されている前記携帯電話機宛の電子メールを消去させる場合には、前記メール情報通知部を介して、電子メールを送信した前記携帯電話機宛に電子メールの受信拒否を通知させる。
さらに、前記メールサーバーにパスワード不一致メール保存部を設け、前記パスワード不一致メール保存部は、前記メールサーバーが前記パスワード照合部から電子メールの受信を拒否する旨の通知を受けた場合には該当する前記携帯電話機宛の電子メールを一定期間保存し、前記携帯電話機では受信を拒否した電子メールの送信元メールアドレス、題名を含む情報を表示し、メロディの鳴動で表示の通知を行い、表示中の情報から必要な電子メールの選択が行われたら、前記メールサーバーに選択された電子メールを前記パスワード不一致メール保存部から送信するよう要求し、前記パスワード不一致メール保存部では、前記携帯電話機から一定期間送信要求のない電子メールを消去する。
【００１８】
前記メール用パスワード保存部は、前記携帯電話機のメール受信時照合用パスワードと共に、送信先の携帯電話機のメール受信時照合用パスワードを送信先メール用パスワードとして保存し、電子メールの送信時に前記メール用パスワード保存部から送信先メール用アドレスを読み出し、送信される電子メールに読み出した前記送信先メール用アドレスを添付する。
【００１９】
さらに、本発明は、メールサーバーを介して電子メールの送受信を行う携帯電話機の電子メール受信許可・拒否判断方法において、各前記携帯電話機から送信され、かつ、本文、題名、送信先メール用パスワード、送信先メールアドレスの情報を含む電子メールを前記メールサーバーに一時的に保存する工程と、携帯電話機宛の電子メールが保存されている旨の情報、前記携帯電話機宛の電子メールに添付されている送信先メール用パスワードの情報を、前記メールサーバーから各前記携帯電話機に、通知する工程と、各前記携帯電話機のメール受信時照合用パスワードを保存する工程と、前記携帯電話機宛の電子メールに添付された前記送信先メール用パスワードと前記メール用パスワード保存部に保存されている前記メール受信時照合用パスワードを照合する工程と、照合の結果一致する場合には保存されている前記携帯電話機宛の電子メールを受信する旨を前記メールサーバーに通知する工程と、照合の結果一致せず、又は、電子メールに送信先メール用パスワードが添付されていない場合には保存されている前記携帯電話機宛の電子メールの受信を拒否する旨を前記メールサーバーに通知する工程とを備えることを特徴とする電子メール受信許可・拒否判断方法を提供する。
【００２０】
さらに、本発明は、メールサーバーを介して電子メールの送受信を行い、電子メール受信許可・拒否判断を行う携帯電話機において、各前記携帯電話機のメール受信時照合用パスワード、送信先の前記携帯電話機の送信先メール用パスワードを保存するメール用パスワード保存部と、前記メールサーバーから通知された電子メールに対する前記送信先メール用パスワードと前記メール用パスワード保存部に保存されている前記メール受信時照合用パスワードを照合し、照合の結果一致する場合には前記メールサーバーから前記携帯電話機宛の電子メールを受信し、照合の結果一致せず、又は、電子メールに送信先メール用パスワードが添付されていない場合には前記メールサーバーからの前記携帯電話機宛の電子メールの受信を拒否する旨を前記メールサーバーに通知するパスワード照合部とを備えることを特徴とする携帯電話機を提供する。
【００２１】
さらに、本発明は、携帯電話機の間で電子メールの送受信の介在を行い、電子メール受信許可・拒否判断を行うメールサーバーにおいて、各前記携帯電話機から送信され、かつ、本文、題名、送信先メール用パスワード、送信先メールアドレスの情報を含む電子メールを一時的に保存し、送信先の前記携帯電話機の照合結果に基づいて電子メールを送信するためのメール一時保存部と、前記メール一時保存部に携帯電話機宛の電子メールが有る旨の情報、前記携帯電話機宛の電子メールに添付される送信先メール用パスワードの情報を送信先の携帯電話機に通知し、送信先の携帯電話機に保存されているメール受信時照合用パスワードと通知した送信先メール用パスワードを照合させ、照合の結果一致する場合には前記メール一時保存部から電子メールを送信し、照合の結果一致せず、又は前記送信先メール用パスワードが添付されていない場合には電子メールの受信を拒否させるためのメール情報通知部とを備えることを特徴とするメールサーバーを提供する。
【発明の効果】
【００２２】
以上説明したように、本発明によれば、電子メールの受信時に携帯電話機での送信先メール用パスワードとメール受信時照合用パスワードの照合により、電子メールの受信拒否判断が行えるので、メール受信時照合用パスワードを知らずに不特定多数のメールアドレスに向けて配信される広告メール等の受信を拒否することができる。
さらに、基本的には送信先（受信側）の携帯電話機に保存するのはメール受信時照合用パスワードだけでなので携帯電話機のユーザーの負担を軽減できる。さらに、パスワードの照合は携帯電話機で行うので、従来と比較してメールサーバーの負担が軽減できる。
【００２３】
さらに、受信側の携帯電話機とメールサーバーとの間でパスワード照合のための通信は行うものの電子メールの本文の受信は行われないので、余計なデータ受信費用等がかからなくなり、不要で迷惑な電子メールに埋もれて重要な電子メールを見落とすことがなくなる。
メールサーバーにて送信先メール用パスワードの添付の有無を検出し、送信先メール用パスワードの添付が無い場合は受信側の携帯電話機にアクセスせずに、自動的に送信された電子メールをメールサーバー内のメール一時保存部から消去するので、無駄なデータの受信費用等が一切かからなくなる。
【００２４】
また、送信者は、送信した電子メールについて送信先メール用パスワードとメール受信時照合用パスワードの不一致、送信先メール用パスワードの添付無しを理由として受信者が電子メールの受信を行えなかったことを認識することが可能になる。このため、送信先メール用パスワードとメール受信時照合用パスワードの不一致の場合には、不要で迷惑な電子メールの送信者以外の友人、知人、家族、仕事関係者、学校関係者等の送信先の電話番号等を知っている送信者は、電話等他の手段により送信先の携帯電話機に設定されている送信先メール用パスワードを再確認することが可能になり、以降の電子メールの送信を確実に行うことが可能になる。
【００２５】
また、送信先メール用パスワードの未添付の場合は、送信先メール用パスワードを添付して再度電子メールの送信を行うことで、受信者側の携帯電話機に電子メールを送信することが可能になる。通常、メールアドレスを両者の同意の上で教え合う関係であれば、メール受信時照合用パスワードを同時に教え合うことは可能であり、送信先の携帯電話機のメールアドレスと、メール受信時照合用パスワードを送信先メール用パスワードとして知っていれば、通常の電子メールの送受信は問題無く行うことができる。
【００２６】
また、送信先メール用パスワードとメール受信時照合用パスワードの不一致、送信先メール用パスワードの添付無しの理由で不要で迷惑な電子メールの受信拒否を行った電子メールに対して、送信元メールアドレス、題名等の情報をさらに受信側の携帯電話機に通知し、通知された内容よりユーザーが必要と判断すればメールサーバーにアクセスを行い、電子メールを受信することが可能になる。
【００２７】
これにより、メール受信時照合用パスワードを知らない友人、知人、家族、仕事関係者、学校関係者等からの電子メールを見逃すことがなくなる。また、その友人、知人、家族、仕事関係者、学校関係者等に受信側の携帯電話機のユーザーから別途メール受信時照合用パスワードを連絡することで、以後の電子メールの受信が可能となる。すなわち、消去された電子メールにパスワードのない、又はパスワードの不一致の重要な電子メールが含まれる場合、すみやかに重要な電子メールがあったと気が付き、重要なメールに対する処理が迅速に行われる。
【発明を実施するための最良の形態】
【００２８】
以下、本発明の実施の形態について図面を参照して説明する。
図１は本発明に係る電子メール受信許可・拒否判断システムの概略構成を示すブロック図である。
本図に示すように、メールサーバー１００と複数の携帯電話機２００との間では、図示しない基地局を介して、電子メールの送受信が行われる。
【００２９】
まず、メールサーバー１００にはメール一時保存部１０１が設けられ、メール一時保存部１０１は、送信元の複数の携帯電話機２００から電子メールが送信された際に、複数の電子メールを一時的に保存する。
メール一時保存部１０１に保存される電子メールには本文・題名等、送信先メール用パスワード、送信先メールアドレスが含まれる。
【００３０】
さらに、メールサーバー１００にはメール情報通知部１０２が設けられ、メール情報通知部１０２は、メール一時保存部１０１に電子メールが保存された際に、保存されている電子メール中に含まれる送信先メール用パスワードの有無を検出し、送信先の携帯電話機２００宛に電子メールが有る旨、電子メールに添付されている送信先メール用パスワードの有無の通知を行う。
【００３１】
次に、携帯電話機２００には無線部２０１が設けられ、無線部２０１は、図示しない基地局を介して、携帯電話機２００の通話動作、メールサーバー１００との間で電子メールの送受信等の通信を行うための動作を行い、後述する制御部２０２の制御によりメール一時保存部１０１にアクセスすることができる。
さらに、携帯電話機２００には制御部２０２が設けられ、制御部２０２は、ＣＰＵ（中央演算装置）からなり、携帯電話機２００の全体を動作させるための各種制御を行い、さらに、パスワード照合部２０２Ａを有し、パスワード照合部２０２Ａは、メールサーバー１００のメール情報通知部１０２から通知された送信先メール用パスワードと携帯電話機２００に設定された任意のメール受信時照合用パスワードを照合し、パスワードが一致した場合のみ電子メールの受信を行う機能を有する。
【００３２】
携帯電話機２００にはメモリ部２０３が設けられ、メモリ部２０３は制御部２０２による制御により任意に書き込み、読み出しが可能であり、メールアドレス保存部２０３Ａ、メール用パスワード保存部２０３Ｂ、各種プログラム保存部２０３Ｃ、…、電話番号情報保存部２０３Ｄを有する。
メールアドレス保存部２０３Ａは自身のメールアドレス、送信先メールアドレスを保存する。
【００３３】
メール用パスワード保存部２０３Ｂはメール受信時照合用パスワード、送信先メール用パスワードを保存する。
ここに、メール受信時照合用パスワードは、メール受信時に照合用として携帯電話機２００のユーザー（使用者）にて任意に設定されたパスワードである。電子メール受信許可・拒否判断を行うには、基本的には、送信先の携帯電話機にメール受信時照合用パスワードだけ保存されておればよい。
送信先メール用パスワードは、送信先の携帯電話機２００のユーザーから得たメール受信時照合用パスワードであり、不要で迷惑メール送信者以外の友人、知人、家族、仕事関係者、学校関係者等の送信先の携帯電話機から送信される重要な電子メールに添付するパスワードである。
【００３４】
各種プログラム保存部２０３Ｃは、携帯電話機２００を動作させるために必要な各種プログラムを保存する。
電話番号情報保存部２０３は、自身の電話番号、通話相手の電話番号等を保存する。
図２は図１における電子メール受信許可・拒否判断システムの動作を説明するフローチャートである。
【００３５】
本図に示すように、ステップＳ３０１において、電子メールの送信者側の携帯電話機２００より、メモリ部２０３のメールアドレス保存部２０３Ａから送信先メールアドレスを読み出し、さらに、メール用パスワード保存部２０３Ｂから送信先メール用パスワードを読み出し添付して、本文、題名等を入力して、電子メールが送信される。
ステップＳ３０２において、送信された電子メールは一時的にメールサーバー１００内のメール一時保存部１０１に、本文、題名等、送信先メール用パスワード、送信先メールアドレスが保存される。
【００３６】
ステップＳ３０３において、メール一時保存部１０１に電子メールが保存され、メール情報通知部１０２により保存された電子メール中に含まれる送信先メール用パスワードの添付の有無が検出されると、メールサーバー１００から電子メールの宛先として指定された携帯電話機２００の送信先メールアドレスに向け、メールサーバー１００内に電子メールが保存されている旨の通知と共に、送信された電子メールへの送信先メール用パスワード添付の有無及び送信先メール用パスワード情報の通知を行う。
【００３７】
ステップＳ３０４において、上記送信先メール用パスワードの情報の通知を受けた携帯電話機２００では、制御部２０２によりメモリ部２０３内のメール用パスワード保存部２０３Ｂに保存されている携帯電話機２００のユーザー（使用者）にて任意に設定された自身のメール受信時照合用パスワードの読み出しを行い、パスワード照合部２０２Ａにて送信先メール用パスワードとメール受信時照合用パスワードとの両パスワードの照合を行う。
【００３８】
ステップＳ３０５において、送信先メール用パスワードの添付がない場合、パスワードの照合の結果、送信先メール用パスワードとメール受信時照合用パスワードが一致しない場合、送信先の携帯電話機２００は電子メールの受信を行わない旨の通知をメールサーバー１００に送信する。
ステップＳ３０６において、電子メールの受信を行わない旨の通知を受信すると、メールサーバー１００では送信されメール一時保存部１０１に一時的に保存した電子メールをメール一時保存部１０１から消去し、処理を終了する。
【００３９】
ステップＳ３０７において、パスワードの照合の結果、送信先メール用パスワードとメール受信時照合用パスワードが一致する場合、送信先の携帯電話機２００は電子メールの受信を行う旨の通知をメールサーバー１００に送信する。
ステップＳ３０８において、電子メールの受信を行う旨の通知を受信すると、メールサーバー１００では、送信され、メール一時保存部１０１に一時的に保存した電子メールを送信先の携帯電話機２００に送信し、送信先の携帯電話機２００では受信する。
【００４０】
したがって、従来ではメールアドレスのみの指定を行うことで、自由に不特定多数の携帯電話機のユーザーへ電子メールを送信することができ、受信者には不要で迷惑な電子メールであっても送信された電子メールを受信しなければならず、無断データ受信費用がかかり、不要で迷惑な電子メールに埋もれて重要な電子メールを見落としてしまうことがあったが、本発明によれば、電子メールの受信時に携帯電話機２００での送信先メール用パスワードとメール受信時照合用パスワードの照合により、電子メールの受信拒否判断が行えるので、メール受信時照合用パスワードを知らずに不特定多数のメールアドレスに向けて配信される広告メール等の受信を拒否することができる。
【００４１】
さらに、基本的には送信先（受信側）の携帯電話機に保存するのはメール受信時照合用パスワードだけなので携帯電話機２００のユーザーの負担を軽減できる。さらに、パスワードの照合は携帯電話機２００で行うので、従来と比較してメールサーバー１００の負担が軽減できる。
さらに、送信先の携帯電話機２００とメールサーバー１００との間でパスワード照合のための通信は行うものの電子メールの本文の受信は行われないので、余計なデータ受信費用等がかからなくなり、不要で迷惑な電子メールに埋もれて重要な電子メールを見落とすことがなくなる。
【実施例１】
【００４２】
図３は図２の第１の変形例の動作例を説明するフローチャートである。本図に示すように、図２と比較して、ステップＳ３１３において、メール一時保存部１０１に電子メールが保存されている場合、メールサーバー１００は、メール情報通知部１０２により保存された電子メール中に含まれる送信先メール用パスワードの添付有無の検出を行う。送信先メール用パスワードの添付がある場合にはステップＳ３１４−ステップＳ３１９に進み、前述と同様に、送信先メール用パスワードとメール受信時照合用パスワードの照合、照合の結果、電子メールの受信、消去が行われる。
【００４３】
送信先メール用パスワードの添付が無い場合にはステップＳ３１７に進み、一時保存した電子メールがメールサーバー１００内のメール一時保存部１０１から消去され、処理を終了する。
その他の処理は図２の処理と同様である。
図２の動作例では、送信されてきた電子メール内への送信先メール用パスワード添付の有無に拘らず、送信先の携帯電話機２００に送信先メール用パスワードの情報等の通知を行い、送信先メール用パスワードとメール受信時照合用パスワードの照合を行っていたが、本実施例の動作例では、メールサーバー１００にて送信先メール用パスワードの添付の有無を検出し、送信先メール用パスワードの添付が無い場合は送信先の携帯電話機２００にアクセスせずに、自動的に送信された電子メールをメールサーバー１００内のメール一時保存部１０１から消去するので、無駄なデータ受信費用等一切かかることがない。
【実施例２】
【００４４】
図４は図２の第２の変形例の動作例を説明するフローチャートである。本図に示すように、図２と比較して、ステップＳ３２６において、メールサーバー１００では、電子メールの受信を行わない通知を受信すると、送信先メール用パスワードとメール受信時照合用パスワードの不一致、送信先メール用パスワード添付無しによる受信拒否を送信側の携帯電話機２００に通知を行い、ステップＳ３２６に進む。
【００４５】
その他の処理は図２の処理と同様である。
図２の動作例では、送信した電子メールについて、送信先メール用パスワードとメール受信時照合用パスワードの不一致、送信先メール用パスワードの添付無しである場合にはメールサーバー１００内のメール一時保存部１０１に一時保存していた電子メールを自動的に消去するだけであったが、本実施例によれば、送信された電子メールについて送信先メール用パスワードとメール受信時照合用パスワードの不一致、送信先メール用パスワードの添付無しにより送信された電子メールの受信拒否を行われたことをメールサーバー１００のメール情報通知部１０２より送信側の携帯電話機２００に通知することが可能になる。
【００４６】
これにより、送信者は、送信した電子メールについて送信先メール用パスワードとメール受信時照合用パスワードの不一致、送信先メール用パスワードの添付無しを理由として受信者が電子メールの受信を行えなかったことを認識することが可能になる。このため、送信先メール用パスワードとメール受信時照合用パスワードの不一致、送信先メール用パスワードの添付無しの場合には、不要で迷惑な電子メールの送信者以外の友人、知人、家族、仕事関係者、学校関係者等の送信先の電話番号等を知っている送信者は、電話等他の手段により送信先の携帯電話機に設定されている送信先メール用パスワードを再確認することが可能になり、以降の電子メールの送信を確実に行うことが可能になる。
すなわち、消去された電子メールにパスワードのない又はパスワードの不一致の重要な電子メールが含まれる場合、すみやかに重要な電子メールがあったと気が付き、重要なメールに対する処理が迅速に行われる。
【００４７】
また、送信先メール用パスワードの未添付の場合は、送信先メール用パスワードを添付して再度電子メールの送信を行うことで、受信者側の携帯電話機２００に電子メールを送信することが可能になる。通常、メールアドレスを両者の同意の上で教え合う関係であれば、メール受信時照合用パスワードを同時に教え合うことは可能であり、送信先の携帯電話機２００のメールアドレスと、メール受信時照合用パスワードを送信先メール用パスワードとして知っていれば、通常の電子メールの送受信は問題無く行うことができる。
【実施例３】
【００４８】
図５は図１の変形例の概略構成を示すブロック図である。本図に示すように、図１と比較して、メールサーバー１００にはパスワード不一致メール保存部１０３が設けられ、パスワード不一致メール保存部１０３は、ユーザーＮｏ．１、ユーザーＮｏ．２のように、複数のユーザーの各々について、送信先メール用パスワードとメール受信時照合用パスワードの不一致、送信先メール用パスワードの添付無しを理由に受信を拒否された電子メールを消去することなく、一定期間保存することができる。
【００４９】
メール情報通知部１０２は、送信先の携帯電話機２００に向け、パスワード不一致メール保存部１０３に保存された送信先メール用パスワードと共に送信先メールアドレス、題名等の電子メール内の一部の情報を送信することができる。
送信先の携帯電話機２００には表示部２０４、スピーカ部２０５が設けられており、制御部２０２は、送信先メール用パスワードとメール受信時照合用パスワードの不一致、送信先メール用パスワードの添付無しの場合に、パスワード不一致メール保存部１０３に保存されている電子メールの送信元メールアドレス、題名等の情報を表示部２０４に表示し、ユーザーに、スピーカ部２０５を介して、表示部２０４への表示の通知をメロディで行う制御を行う。
【００５０】
図６は図５構成の動作例を説明するフローチャートである。本図に示すように、図２と比較し、ステップＳ３３６において、送信先の携帯電話機２００で受信拒否された電子メールをメールサーバー１００内のパスワード不一致メール保存部１０３に一定期間保存する。
ステップＳ３３７において、メールサーバー１００のメール情報通知部１０２からパスワード不一致メール保存部１０３に保存されている送信元メールアドレスと共に題名等の電子メール内の一部の情報のみを送信先の携帯電話機２００に送信する。
【００５１】
ステップＳ３３８において、送信先の携帯電話機２００では、送信元メールアドレス、題名等の情報を表示部２０４に表示し、スピーカ部２０５から出力されるメロディでユーザーに表示部２０４への表示の通知を行う。
ステップＳ３３９において、メロディで通知を受けたユーザーは、表示部２０４に表示された送信元メールアドレス、題名等の情報を見て必要な電子メールかを判断する。ユーザーの不要との判断結果に対しては、送信先の携帯電話機２００からメールサーバー１００に対して電子メールの受信の要求がないので、パスワード不一致メール保存部１０３では、一定期間経過後、自動的に保存された電子メールが消去され、処理を終了する。
【００５２】
ステップＳ３４０において、ユーザーの必要との判断結果に対して、表示部２０４の表示から図示しないキーボードで必要な電子メールが選択され、選択された電子メールの受信の要求が送信先の携帯電話機２００からメールサーバー１００に対して行われ、送信先の携帯電話機２００ではメールサーバー１００のメール情報通知部１０２を介してパスワード不一致メール保存部１０３から選択された電子メールの受信が行われ、処理を終了する。
【００５３】
その他の処理は図２の処理と同様である。
したがって、本実施例によれば、送信先メール用パスワードとメール受信時照合用パスワードの不一致、送信先メール用パスワードの添付無しの理由で不要で迷惑な電子メールの受信拒否を行った電子メールに対して、送信元メールアドレス、題名等の情報をさらに送信先の携帯電話機２００に通知し、通知された内容よりユーザーが必要と判断すればメールサーバー１００にアクセスを行い、電子メールを受信することが可能になる。
すなわち、消去された電子メールにパスワードのない又はパスワードの不一致の重要な電子メールが含まれる場合、すみやかに重要な電子メールがあったと気が付き、重要なメールに対する処理が迅速に行われる。
【００５４】
これにより、メール受信時照合用パスワードを知らない友人、知人、家族、仕事関係者、学校関係者等からの電子メールを見逃すことがなくなる。また、その友人、知人、家族、仕事関係者、学校関係者等に送信先の携帯電話機２００のユーザーから別途メール受信時照合用パスワードを連絡することで、以後の電子メールの受信が可能となる。
【図面の簡単な説明】
【００５５】
【図１】本発明に係る電子メール受信許可・拒否判断システムの概略構成を示すブロック図である。
【図２】図１における電子メール受信許可・拒否判断システムの動作を説明するフローチャートである。
【図３】図２の第１の変形例の動作例を説明するフローチャートである。
【図４】図２の第２の変形例の動作例を説明するフローチャートである。
【図５】図１の変形例の概略構成を示すブロック図である。
【図６】図５の構成の動作例を説明するフローチャートである。
【符号の説明】
【００５６】
１００…メールサーバー
１０１…メール一時保存部
１０２…メール情報通知部
１０３…パスワード不一致メール保存部
２００…携帯電話機
２０１…無線部
２０２…制御部
２０２Ａ…パスワード照合部
２０３…メモリ部
２０３Ａ…メールアドレス保存部
２０３Ｂ…メール用パスワード保存部
２０３Ｃ…各種プログラム保存部
２０３Ｄ…電話番号情報保存部
２０４…表示部
２０５…スピーカ部
【図１】
2005316805.tif 000003
【図２】
2005316805.tif 000004
【図３】
2005316805.tif 000005
【図４】
2005316805.tif 000006
【図５】
2005316805.tif 000007
【図６】
2005316805.tif 000008